(57)【要約】【課題】スピーカからの音を起因とした振動が照明部に影響することを抑制できる照明装置を提供する。【解決手段】照明装置１は、スピーカ４１を有する音響部４０と、照明部２０とが装置本体２に対して一体的に設けられた照明装置１であって、装置本体２は、開口部（第一開口部２０ａ）を有しており、スピーカ４１の重心は、開口部を平面視した場合に開口部内に配置されている。【選択図】図５
2019102290.tif 000002
【特許請求の範囲】
【請求項１】
少なくとも一つのスピーカを有する音響部と、照明部とが装置本体に対して一体的に設けられた照明装置であって、
前記装置本体は、開口部を有しており、
前記少なくとも一つのスピーカの重心は、前記開口部を平面視した場合に前記開口部内に配置されている
照明装置。
【請求項２】
前記装置本体は、長尺であって、前記開口部を中央部に備えており、
前記スピーカは、一対設けられており、
一対の前記スピーカは、前記装置本体における長手方向の両端部に設けられている
請求項１に記載の照明装置。
【請求項３】
前記装置本体は、前記照明部用の第一回路基板と、前記音響部用の第二回路基板とを収容しており、
前記第一回路基板と前記第二回路基板とを合わせた重心は、前記開口部を平面視した場合に前記開口部内に配置されている
請求項２に記載の照明装置。
【請求項４】
前記第一回路基板は、主基板と、前記主基板よりも大きさの小さい副基板とを備えており、
前記装置本体における前記開口部を基準とした前記長手方向の一側方には、前記主基板が配置されており、他側方には、前記副基板及び前記第二回路基板が配置されている
請求項３に記載の照明装置。
【請求項５】
前記装置本体は、前記照明部と前記音響部とを収容する外装カバーを備え、
前記スピーカと前記外装カバーとの間には、緩衝材が設けられている
請求項１〜４のいずれか一項に記載の照明装置。
【請求項６】
前記外装カバーから外方に向けて延設するように、前記外装カバーに取り付けられた導光板と、
前記導光板に対して光を入射する光源とを備える
請求項５に記載の照明装置。
【請求項７】
前記導光板は、互いに対向するように一対設けられている
請求項６に記載の照明装置。
【請求項８】
前記照明装置の重心は、前記開口部を平面視した場合に前記開口部内に配置されている
請求項１〜７のいずれか一項に記載の照明装置。
【請求項９】
スピーカを有する音響部と、照明部とが装置本体に対して一体的に設けられた照明装置であって、
前記装置本体は、開口部を有しており、
前記照明装置の重心は、前記開口部を平面視した場合に前記開口部内に配置されている
照明装置。
【発明の詳細な説明】
【技術分野】
【０００１】
本発明は、照明部と音響部とを備えた照明装置に関する。
【背景技術】
【０００２】
従来、例えば、照明部と音響部とを備えた照明装置が知られている（例えば特許文献１参照）。このような照明装置では、照明部と音響部とが一体化されて、天井に取り付けられている。
【先行技術文献】
【特許文献】
【０００３】
【特許文献１】特開２０１４−９９３６９号公報
【発明の概要】
【発明が解決しようとする課題】
【０００４】
ところで、照明部と音響部とが一体化されていると、音響部のスピーカから出力された音を起因として、照明部が振動してしまうおそれがある。照明部の振動は、照明光を揺らめかせることとなり、ユーザに違和感を与えてしまう。
【０００５】
このため、本発明は、スピーカからの音を起因とした振動が照明部に影響することを抑制できる照明装置を提供することを目的とする。
【課題を解決するための手段】
【０００６】
上記目的を達成するために、本発明に係る照明装置の一態様は、少なくとも一つのスピーカを有する音響部と、照明部とが装置本体に対して一体的に設けられた照明装置であって、装置本体は、開口部を有しており、少なくとも一つのスピーカの重心は、開口部を平面視した場合に開口部内に配置されている。
【０００７】
また、本発明に係る照明装置の他の態様は、スピーカを有する音響部と、照明部とが装置本体に対して一体的に設けられた照明装置であって、装置本体は、開口部を有しており、照明装置の重心は、開口部を平面視した場合に開口部内に配置されている。
【発明の効果】
【０００８】
本発明によれば、スピーカからの音を起因とした振動が照明部に影響することを抑制できる。
【図面の簡単な説明】
【０００９】
【図１】図１は、実施の形態に係る照明装置を示す斜視図である。
【図２】図２は、実施の形態に係る照明装置を示す分解斜視図である。
【図３】図３は、図１のＩＩＩ−ＩＩＩ線を含む切断面を見た、照明装置の部分断面図である。
【図４】図４は、実施の形態に係るカバー体を取り除いた状態の音響部を示す説明図である。
【図５】図５は、実施の形態に係る一対のレンズカバーの概略構成を示す照明装置の平面図である。
【図６】図６は、実施の形態に係る第二収容部と、当該第二収容部に収容される各部材との概略構成を示す分解斜視図である。
【図７】図７は、実施の形態に係る第二収容部と、当該第二収容部に収容される各部材との概略構成を示す平面図である。
【図８】図８は、実施の形態に係る第一無線モジュールとレンズカバーとの位置関係を示す側面図である。
【発明を実施するための形態】
【００１０】
以下、実施の形態について、図面を参照しながら説明する。なお、以下に説明する実施の形態は、本発明の一具体例を示すものである。したがって、以下の実施の形態示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
［照明装置の全体構成］
図１は、実施の形態に係る照明装置１を示す斜視図である。図２は、実施の形態に係る照明装置１を示す分解斜視図である。図３は、図１のＩＩＩ−ＩＩＩ線を含む切断面を見た、照明装置１の部分断面図である。
【００１３】
ここでは、照明装置１の装置本体２の短手方向をＸ軸方向と規定し、装置本体２の長手方向をＹ軸方向と規定し、Ｘ軸方向とＹ軸方向とに直交する方向をＺ軸方向と規定する。また、装置本体２に対する第一導光板３側をＸ軸プラス方向と規定し、照明部２０の第一開口部２０ａに対する第一無線モジュール４６側をＹ軸プラス方向と規定し、照明装置１が取り付けられる造営材側をＺ軸プラス方向と規定する。本実施の形態では、説明の便宜上、Ｚ軸方向を上下方向として説明するが、照明装置１の使用形態によってはＺ軸方向が上下方向とならない場合もある。
【００１４】
図１及び図２に示すように、照明装置１は、エッジライト方式の導光板を備えており、天井および壁などの造営材に固定されている。具体的には、照明装置１は、造営材に配設されている引っ掛けシーリング１１等の外部の電源と電気的に接続された状態で固定されている。
【００１５】
照明装置１は、装置本体２と、第一導光板３と、第二導光板４と、第一遮光部材５と、第二遮光部材６と、透光カバー７と、一対の支持部材８とを備えている。
【００１６】
装置本体２は、Ｙ軸方向に長尺な箱状体である。装置本体２は、外装カバー１２と、一対の音響部４０と、照明部２０と、一対のレンズカバー２３と、照明制御部１３と、照明電源部１５と、音響制御部１６と、音響電源部１７とを有する。
【００１７】
図２に示すように、外装カバー１２は、Ｙ軸方向に長尺な矩形状の箱体であり、Ｚ軸プラス方向及びＺ軸マイナス方向で開放されている。具体的には、外装カバー１２は、Ｚ軸マイナス方向側では、全体が開放されており、Ｚ軸プラス方向側では、中央部分が略矩形状に開放されている。
【００１８】
また、外装カバー１２は、音響部４０と、照明部２０、第一無線モジュール４６、第二無線モジュール４７、第一遮光部材５、第二遮光部材６、照明制御部１３、照明電源部１５、音響制御部１６及び音響電源部１７等を収容している。外装カバー１２は、照明装置１の外側のカバーである。
【００１９】
［音響部］
音響部４０は、一対のスピーカ４１（図４参照）と、一対のスピーカ４１を個別に覆う一対のカバー体４２とを備えている。一対のスピーカ４１及び一対のカバー体４２は、外装カバー１２におけるＹ軸方向の両端部に設けられている。一対のスピーカ４１及び一対のカバー体４２は、Ｙ軸方向において、照明部２０、第一遮光部材５、第二遮光部材６、照明制御部１３、照明電源部１５、音響制御部１６及び音響電源部１７を挟んで配置されている。一対のカバー体４２は、それぞれ平板状であり、その底面がＸ軸方向から見て外方を向くように、傾く姿勢で外装カバー１２に取り付けられている。一対のスピーカ４１は、それぞれ対応するカバー体４２に対応して傾く姿勢で外装カバー１２に取り付けられている。具体的には、スピーカ４１の指向中心が、カバー体４２の底面の法線方向に平行となっている。ここで、指向中心とは、スピーカ４１の指向性の中心方向、つまりスピーカ４１の音の広がりの中心方向とする。
【００２０】
一対のスピーカ４１には、不図示のケーブルを介して音響制御部１６と、音響電源部１７とが電気的に接続されている。一対のスピーカ４１は、音響電源部１７から電力が供給されるとともに、音響制御部１６の制御によって音を出力する。
【００２１】
図４は、実施の形態に係るカバー体４２を取り除いた状態の音響部４０を示す説明図である。図４では、カバー体４２の法線方向から音響部４０を見た図であり、Ｚ軸方向に対して傾いている。
【００２２】
図４に示すように、スピーカ４１は、平面視略矩形状であり、その四辺のうち三辺が外装カバー１２の内壁面に近接配置されている。このスピーカ４１における三辺と、外装カバー１２の内壁面との間には、緩衝材４３が設けられている。図４において緩衝材４３は、網掛けによって図示している。緩衝材４３としては、スピーカ４１の振動を吸収できるものであれば如何なるものを採用することができる。緩衝材４３は、例えばゴムやウレタンなどの弾性体から形成されている。スピーカ４１が音を出力することによって発生した振動は、緩衝材４３によって吸収される。このため、スピーカ４１を起因とした振動が、外装カバー１２と、外装カバー１２に収容された照明部２０と、照明部２０に支持された第一導光板３、第二導光板４などに伝わることが抑制されている。
【００２３】
［照明部］
照明部２０は、Ｙ軸方向に長尺な矩形状である。つまり、照明部２０の長手方向がＹ軸方向となる。照明部２０は、中央部分に円形状の第一開口部２０ａを有している。第一開口部２０ａは取付用の開口部であり、照明部２０が、この第一開口部２０ａを介して引っ掛けシーリング１１に取り付けられる。これにより、照明部２０と引っ掛けシーリング１１とが電気的に接続される。また、照明部２０は、一対の発光モジュール２１と、収容体２５とを有する。
【００２４】
［発光モジュール］
図２に示すように、一対の発光モジュール２１は、例えばネジ等の締結部材１９により収容体２５に固定されている。具体的には、一対の発光モジュール２１は、第一開口部２０ａを挟むように、第一開口部２０ａに対してＹ軸プラス方向側及びＹ軸マイナス方向側にそれぞれ配置されている。なお、本実施の形態では、２つの発光モジュール２１を用いているが、１つの発光モジュール２１であってもよい。
【００２５】
図２及び図３に示すように、発光モジュール２１は、基板１２０と、複数の第一光源１２１と、複数の第二光源１２２と、複数の配線部材１２０ａとを有する。
【００２６】
基板１２０は、Ｙ軸方向に長尺な矩形板状である。基板１２０には、複数の第一光源１２１及び複数の第二光源１２２が実装されている。基板１２０は、Ｘ−Ｙ平面と略平行となるように、照明部２０の収容体２５に設置されている。基板１２０には、複数の第一光源１２１及び複数の第二光源１２２に給電する配線部材１２０ａが固定されている。基板１２０は、配線部材１２０ａに接続された不図示のケーブルを介して照明制御部１３及び照明電源部１５と電気的に接続されている。本実施の形態では、配線部材１２０ａは、第一光源１２１と第二光源１２２との間に配置されている。
【００２７】
基板１２０は、第一光源１２１及び第二光源１２２が発した熱を放熱するように、図示しない放熱部に熱的に接続されていてもよい。放熱部は、外装カバー１２にも熱的に接続されていてもよく、外装カバー１２をヒートシンクとして機能させてもよい。
【００２８】
複数の第一光源１２１は、Ｙ軸方向に長尺なマトリクス状となるように、基板１２０に配列されている。複数の第二光源１２２の一部は、複数の第一光源１２１に対してＸ軸プラス方向側でＹ軸方向に沿って配列されている。一方、その他の複数の第二光源１２２は、複数の第一光源１２１に対してＸ軸マイナス方向側でＹ軸方向に沿って配列されている。言い換えれば、複数の第一光源１２１に対し、Ｘ軸プラス方向側で配列されている複数の第二光源１２２と、Ｘ軸マイナス方向側で配列されている複数の第二光源１２２とは、複数の第一光源１２１を挟むように基板１２０に配列されている。
【００２９】
第一光源１２１及び第二光源１２２は、光の出射方向がＺ軸マイナス方向を向いているため、Ｚ軸マイナス方向に光を出射する。光の出射方向、つまり第一光源１２１及び第二光源１２２の各々の光軸は、Ｚ軸方向と略平行である。
【００３０】
Ｘ軸プラス方向側で配列されている複数の第二光源１２２の光の出射方向側には、第一導光板３が配置されている。また、Ｘ軸マイナス方向側で配列されている複数の第二光源１２２の光の出射方向側には、第二導光板４が配置されている。Ｘ軸プラス方向側の第二光源１２２は、第一導光板３の入射面に光を照射する。また、Ｘ軸マイナス方向側の第二光源１２２は、第二導光板４の入射面に光を照射する。第二光源１２２は、光の出射方向がＺ軸マイナス方向に向くように基板１２０に配列されている。具体的には、Ｘ軸プラス方向側の第二光源１２２は、光軸が第一導光板３の入射面に略直交して、入射面と対向するように配置されている。また、Ｘ軸マイナス方向側の第二光源１２２は、光軸が第二導光板４の入射面に略直交して、入射面と対向するように配置されている。つまり、第二光源１２２は、第一導光板３及び第二導光板４の各々の入射面と略垂直な関係にある。
【００３１】
また、第二光源１２２と第一導光板３及び第二導光板４との間には、第二光源１２２と第一導光板３及び第二導光板４とが接触しないように隙間が空けられている。
【００３２】
第一光源１２１及び第二光源１２２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。例えば、青色ＬＥＤチップと黄色蛍光体含有樹脂との組み合わせにより白色光を放出する表面実装型ＬＥＤ素子が、第一光源１２１及び第二光源１２２として採用される。
【００３３】
第一光源１２１及び第二光源１２２は、照明制御部１３により制御されて点灯及び消灯を行う。また、第一光源１２１及び第二光源１２２は、照明制御部１３により制御されて調光及び調色が行われる。
【００３４】
なお、第一光源１２１及び第二光源１２２は、このような構成に限定されず、基板１２０上にＬＥＤチップが直接的に実装されたＣＯＢ（Ｃｈｉｐ  Ｏｎ  Ｂｏａｒｄ）型のモジュールが用いられてもよい。また、第一光源１２１及び第二光源１２２が有する発光素子は、ＬＥＤに限定されず、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００３５】
なお、もう一方側の発光モジュール２１も同様の構成であるためその説明を省略する。
【００３６】
［レンズカバー］
図５は、実施の形態に係る一対のレンズカバー２３の概略構成を示す照明装置１の平面図である。図５では、第一導光板３と、第二導光板４と、透光カバー７との図示を省略している。
【００３７】
図２、図３及び図５に示すように、一対のレンズカバー２３は、第一開口部２０ａを挟むように、第一開口部２０ａに対してＹ軸プラス方向側及びＹ軸マイナス方向側にそれぞれ配置されている。レンズカバー２３は、基板１２０と第一遮光部材５及び第二遮光部材６とによって固定されている。レンズカバー２３は、Ｙ軸方向に長尺な矩形板状をなし、透光性を有する例えば、アクリル、ポリカーボネート等の透明な樹脂材料で形成されている。
【００３８】
レンズカバー２３は、複数の第一光源１２１が出射した光を配光制御するレンズであり、複数のレンズを有する。レンズカバー２３は、複数の第一光源１２１を覆うように、発光モジュール２１に配置されている。具体的には、レンズカバー２３及び複数の第一光源１２１を平面視した場合に、レンズカバー２３に形成されている個々のレンズは、各々の第一光源１２１に一対一で対応している。レンズカバー２３の各々のレンズは、これらに対応する各々の第一光源１２１から出射した光が透過する際に、透過する光の配光角を制御する。
【００３９】
また、一対のレンズカバー２３のそれぞれの外端部には、切欠き２３１が設けられている。具体的には、Ｙ軸プラス方向側のレンズカバー２３には、Ｙ軸プラス方向側の端部に切欠き２３１が設けられている。Ｙ軸マイナス方向側のレンズカバー２３には、Ｙ軸マイナス方向側の端部に切欠き２３１が設けられている。切欠き２３１は、例えば、第一開口部２０ａ側の幅が小さく、反対側の幅が大きい平面視台形状に形成されている。
【００４０】
これら一対のレンズカバー２３は、複数の第一光源１２１が出射した光を配光制御して、発光する。これにより一対のレンズカバー２３は照明部２０の発光領域となる。一対のレンズカバー２３は、それぞれＹ軸方向に長尺であるので、発光領域もＹ軸方向に沿って長尺に設けられている。上述したように、一対のスピーカ４１及び一対のカバー体４２は、Ｙ軸方向において、照明部２０を挟んで配置されているので、一対のスピーカ４１と発光領域とは、当該発光領域を平面視した場合に重なっていない。
【００４１】
［収容体］
図２及び図３に示すように、収容体２５は、第一収容部２５１と、第二収容部２５２とを備えている。第一収容部２５１は、一対の発光モジュール２１と、一対のレンズカバー２３と、第一無線モジュール４６と、第二無線モジュール４７とを収容する筐体である。具体的には、第一収容部２５１は、Ｙ軸方向に長尺で扁平な筐体であり、Ｚ軸方向のマイナス方向側が全体として開放されている。第一収容部２５１は、第二収容部２５２におけるＺ軸マイナス方向側に配置されている。第一収容部２５１は、平面視矩形状の板状部２５３と、板状部２５３の周囲を囲む壁部２５４とを備えている。
【００４２】
板状部２５３には、一対の発光モジュール２１が複数の締結部材１９によって固定されている。また、板状部２５３には、一対のレンズカバー２３が第一遮光部材５、第二遮光部材６及び一対の発光モジュール２１を介して固定されている。また、板状部２５３の中央部には、第一開口部２０ａの一部をなす開口２５３ａが形成されている。
【００４３】
図２、図３及び図５に示すように、壁部２５４は、発光領域である一対のレンズカバー２３を囲むように設けられている。具体的には、壁部２５４は、板状部２５３の一対の長辺部に設けられた第一壁部２５４１と、一対の短辺部に設けられた第二壁部２５４２とを有している。第一壁部２５４１は、Ｙ軸方向に長尺であり、第二壁部２５４２は、Ｘ軸方向に長尺である。第一壁部２５４１の先端部には、板状部２５３と略平行な桁部２５５が形成されている。この桁部２５５には、第一導光板３及び第二導光板４を保持するための複数の貫通孔が、Ｙ軸方向に所定の間隔をあけて形成されている。
【００４４】
図２に示すように、第二収容部２５２は、照明制御部１３と、照明電源部１５と、音響制御部１６と、音響電源部１７とを収容する筐体である。具体的には、第二収容部２５２は、Ｙ軸方向に長尺な略直方体状の筐体であり、Ｚ軸方向のマイナス方向側が全体として開放されている。この第二収容部２５２の開放された部分は、第一収容部２５１によって覆われている。
【００４５】
図６は、実施の形態に係る第二収容部２５２と、当該第二収容部２５２に収容される各部材との概略構成を示す分解斜視図である。図７は、実施の形態に係る第二収容部２５２と、当該第二収容部２５２に収容される各部材との概略構成を示す平面図である。
【００４６】
図６及び図７に示すように、第二収容部２５２は、平面視矩形状の板状部２５７と、板状部２５３の全周から立設する壁部２５８とを備えている。
【００４７】
壁部２５８の先端部は、板状部２５７と略平行な桁部２５９が形成されている。この桁部２５９には、第一収容部２５１が図示しない締結部材によって固定される。
【００４８】
板状部２５７には、第一取付板２６３と、第二取付板２６４とが図示しない締結部材によって固定されている。板状部２５７の中央部には、第一開口部２０ａの一部をなす開口２５７ａが形成されている。
【００４９】
第一取付板２６３には、照明部２０用の第一回路基板２６０が取り付けられている。第一取付板２６３は、Ｙ軸方向に長尺な平面視略矩形状に形成されており、その全周にわたってリブ２７１が設けられている。また、第一取付板２６３には、第一開口部２０ａの一部をなす円筒部２７２が設けられている。円筒部２７２は、第一取付板２６３におけるＹ軸プラス方向側に偏った位置に配置されている。このため、第一取付板２６３は、円筒部２７２よりもＹ軸プラス方向側の面積が大きく、円筒部２７２よりもＹ軸マイナス方向側の面積が小さくなっている。円筒部２７２は、第一取付板２６３に固定された際には、板状部２５７の開口２５７ａと連通する。固定後においては、円筒部２７２よりもＹ軸プラス方向側では、第一取付板２６３は、板状部２５７を概ね覆っている。他方、円筒部２７２よりもＹ軸マイナス方向側では、第一取付板２６３は、板状部２５７を半分程度覆っている。つまり、板状部２５７は、第一取付板２６３によって覆われていない領域が存在する。当該領域には、第二取付板２６４が配置されている。
【００５０】
また、照明部２０用の第一回路基板２６０は、主基板２６０ａと、主基板２６０ａよりも大きさの小さい副基板２６０ｂとを備えている。主基板２６０ａと、副基板２６０ｂとは、それぞれ配置箇所に対応した大きさに形成されている。例えば、主基板２６０ａは、第一取付板２６３における円筒部２７２よりもＹ軸プラス方向側に配置されている。一方、副基板２６０ｂは、第一取付板２６３における円筒部２７２よりもＹ軸マイナス方向側に配置されている。
【００５１】
主基板２６０ａ及び副基板２６０ｂのそれぞれには、照明制御部１３及び照明電源部１５をなす複数の回路部品９１が実装されている。複数の回路部品９１には、例えば、電解コンデンサ、コイル、トランス、ノイズフィルタ、セラミックコンデンサ、抵抗素子、半導体素子などが挙げられる。
【００５２】
第二取付板２６４には、音響部４０用の第二回路基板２７０が取り付けられている。第二取付板２６４は、平面視略正方形状に形成されており、その全周にわたってリブ２６５が設けられている。また、第二取付板２６４の底部には、複数の開口が形成されている。
【００５３】
音響部４０用の第二回路基板２７０には、音響制御部１６と及び音響電源部１７をなす複数の回路部品９２が実装されている。複数の回路部品９２には、例えば、電解コンデンサ、コイル、トランス、ノイズフィルタ、セラミックコンデンサ、抵抗素子、半導体素子などが挙げられる。
【００５４】
［第一無線モジュール、第二無線モジュール］
図５に示すように、第一無線モジュール４６は、Ｙ軸プラス方向側のレンズカバー２３の切欠き２３１内に配置されている。第一無線モジュール４６は、照明部２０用の無線信号を受信する無線モジュールである。第一無線モジュール４６は、図示しない配線を介して、照明部２０用の第一回路基板２６０に電気的に接続されている。これにより、第一無線モジュール４６が受信した無線信号は、第一回路基板２６０にある照明制御部１３に伝送される。
【００５５】
第二無線モジュール４７は、Ｙ軸マイナス方向側のレンズカバー２３の切欠き２３１内に配置されている。第二無線モジュール４７は、音響部４０用の無線信号を受信する無線モジュールである。第二無線モジュール４７は、図示しない配線を介して、音響部４０用の第二回路基板２７０に電気的に接続されている。これにより、第二無線モジュール４７が受信した無線信号は、第二回路基板２７０にある音響制御部１６に伝送される。
【００５６】
第一無線モジュール４６及び第二無線モジュール４７に採用される無線通信は、電波（すなわち、可視光及び赤外光を除く）を用いた通信である。第一無線モジュール４６及び第二無線モジュール４７は、例えば、Ｗｉ−Ｆｉ（登録商標）、Ｂｌｕｅｔｏｏｔｈ（登録商標）、ＢＬＥ又はＺｉｇＢｅｅ（登録商標）などの無線通信規格に基づいて無線通信を行う。
【００５７】
第一無線モジュール４６は、カプセル状の筐体４６１と、筐体４６１に収容された無線受信部（図示省略）とを備えている。第一無線モジュール４６の無線受信部は、照明装置１を操作するための操作端末から送信された無線信号を受信し、照明制御部１３に出力する。
【００５８】
第二無線モジュール４７は、カプセル状の筐体４７１と、筐体４７１に収容された無線受信部（図示省略）とを備えている。第二無線モジュール４７の無線受信部は、操作端末から送信された無線信号を受信し、音響制御部１６に出力する。
【００５９】
ここで、操作端末としては、無線通信可能な機器であれば如何様でもよく、例えば、スマートフォンなどの携帯端末、無線式のリモコンなどが挙げられる。操作端末は、照明部２０用の無線信号を出力する。照明部２０用の無線信号は、照明部２０を制御するための信号である。照明部２０用の無線信号には、例えば、第一光源１２１及び第二光源１２２を点灯させるための点灯指示、第一光源１２１及び第二光源１２２を消灯させるための消灯指示、又は、第一光源１２１及び第二光源１２２の調光比若しくは色温度（光色）を選択する指示などが含まれる。
【００６０】
また、操作端末は、音響部４０用の無線信号を出力する。音響部４０用の無線信号は、音響部４０を制御するための信号である。音響部４０用の無線信号には、例えば、スピーカ４１を起動させるための起動指示、スピーカ４１を停止させるための停止指示、音量を調整するための音量指示、スピーカ４１が出力する音データなどが含まれる。
【００６１】
図８は、実施の形態に係る第一無線モジュール４６とレンズカバー２３との位置関係を示す側面図である。図８に示すように、第一無線モジュール４６は、レンズカバー２３からＺ軸マイナス方向側に突出している。つまり、第一無線モジュール４６は、発光領域に対して、当該発光領域からの光の出射方向に突出している。具体的には、第一無線モジュール４６の筐体４６１がレンズカバー２３からＺ軸マイナス方向側に突出している。この位置関係であるので、第一無線モジュール４６の無線通信をレンズカバー２３が遮ることが抑制されている。また、筐体４７１内において第一無線モジュール４６の無線受信部は、レンズカバー２３よりもＺ軸マイナス方向側に配置されていると、より安定した無線通信が可能となる。なお、第二無線モジュール４７においても、側面視におけるレンズカバー２３との位置関係は、第一無線モジュール４６とレンズカバー２３の位置関係と同様であるので、その説明は省略する。
【００６２】
また、図５に示すように、レンズカバー２３を平面視した場合においては、第一無線モジュール４６と第二無線モジュール４７とは、第一収容部２５１の壁部２５４に囲まれた領域内に配置されている。具体的には、第一無線モジュール４６は、Ｙ軸プラス方向側のレンズカバー２３の切欠き２３１内に配置されており、Ｙ軸プラス方向側の壁部２５４に近接されている。一方、第二無線モジュール４７は、Ｙ軸マイナス方向側のレンズカバー２３の切欠き２３１内に配置されており、Ｙ軸マイナス方向側の壁部２５４に近接されている。このように、第一無線モジュール４６と第二無線モジュール４７とは、発光領域をなす一対のレンズカバー２３を、Ｙ軸方向で挟んで対向する位置に配置されている。これにより、発光領域から照射された光が、第一無線モジュール４６と第二無線モジュール４７とによって遮られることが抑制されている。また、第一収容部２５１内において、第一無線モジュール４６と第二無線モジュール４７とを極力距離を離して配置しているので、第一無線モジュール４６が受信する照明部２０用の無線信号と、第二無線モジュール４７が受信する音響部４０用の無線信号とが干渉しにくくなる。
【００６３】
［照明制御部］
照明制御部１３は、第一光源１２１、第二光源１２２、第一無線モジュール４６と電気的に接続されている。照明制御部１３は、例えば第一光源１２１及び第二光源１２２の点灯回路部を制御することで、第一光源１２１及び第二光源１２２から出射させる光を調光制御及び調色制御することができる。照明制御部１３は、第一無線モジュール４６で受信された照明部２０用の無線信号に基づいて第一光源１２１及び第二光源１２２を制御する。例えば、照明制御部１３は、Ｙ軸プラス方向側の複数の第一光源１２１だけの点灯、Ｙ軸マイナス方向側の複数の第一光源１２１だけの点灯、全ての第一光源１２１だけの点灯、Ｘ軸プラス方向側で配列された複数の第二光源１２２だけの点灯、Ｘ軸マイナス方向側で配列された複数の第二光源１２２だけの点灯、又は、これらの組み合わせによる点灯を、照明部２０用の無線信号に基づいて制御することができる。
【００６４】
照明制御部１３は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。照明制御部１３は、例えば記憶部に記憶させた適宜のプログラムを実行させることで、所定の照明制御動作を行うことができる。記憶部は、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｏａｄ  Ｏｎｌｙ  Ｍｅｍｏｒｙ）などの不揮発性半導体メモリを用いて構成することができる。
【００６５】
［音響制御部］
また、音響制御部１６は、第二無線モジュール４７で受信された音響部４０用の無線信号に基づいてスピーカ４１を制御する。例えば、音響制御部１６は、無線信号に含まれる音データ及び音量指示に基づいてスピーカ４１を制御することで、スピーカ４１から音を出力させる。
【００６６】
音響制御部１６は、例えば、ＣＰＵを備えたマイクロコンピュータを用いて構成することができる。音響制御部１６は、例えば記憶部に記憶させた適宜のプログラムを実行させることで、所定の音響制御動作を行うことができる。記憶部は、例えば、フラッシュメモリやＥＥＰＲＯＭなどの不揮発性半導体メモリを用いて構成することができる。音響制御部１６は、音データを増幅するアンプ回路を含んでいてもよい。
【００６７】
［照明電源部］
図２及び図３に示すように、照明電源部１５は、外部からの電力によって駆動する駆動回路、発光モジュール２１を発光させるための電力を供給するケーブル等を有する。照明電源部１５は、ケーブルを介して発光モジュール２１に電力を供給する。
【００６８】
［音響電源部］
図２及び図３に示すように、音響電源部１７は、外部からの電力によって駆動する駆動回路、一対のスピーカ４１を駆動させるための電力を供給するケーブル等を有する。音響電源部１７は、ケーブルを介して一対のスピーカ４１に電力を供給する。
【００６９】
［導光板］
図３に示すように、第一導光板３は、複数の第一光源１２１のＸ軸プラス方向側に配置されている。第一導光板３は、Ｘ軸マイナス方向側の一端部が外装カバー１２内で固定され、Ｘ−Ｙ平面と略平行となるように支持されている。第一導光板３は、Ｙ軸方向に長尺な板材であり、第一光源１２１のＸ軸プラス方向側に配列された複数の第二光源１２２からの光を導光する光学部材である。第一導光板３は、アクリル、ポリカーボネート等の樹脂又はガラス等の透光性の部材であるが、透光性があればその他どのような材料で形成されてもよい。なお、第一導光板３の形状は、矩形状に限らず、円盤状でもよく、多角形状など、他の形状でもよい。第一導光板３は、導光板の一例である。
【００７０】
第一導光板３は、湾曲部３１と、平板部３５と、複数の係合部３９とを有する。
【００７１】
湾曲部３１は、第一導光板３におけるＸ軸マイナス方向の一端部側の部分であり、レンズカバー２３に沿ってＹ軸方向に長尺である。湾曲部３１は、Ｘ−Ｚ平面で切断した場合の断面視で、第二光源１２２側から略円弧状に湾曲している。湾曲部３１は、第二光源１２２が出射した光を平板部３５に向けて導光する。
【００７２】
係合部３９は、湾曲部３１の第一光源１２１側の端部から突出している。この係合部３９は、第一遮光部材５、第一導光板３及び発光モジュール２１とともに、締結部材１９によって共締めされる。
【００７３】
平板部３５は、湾曲部３１を通過した光を導光して出射することで、当該平板部３５の周囲を照明する板状部である。平板部３５は、Ｘ−Ｙ平面と略平行に保持されている。平板部３５は、装置本体２の長尺な縁辺から外方に向けて延設している。また、平板部３５は、Ｙ軸方向に長尺な矩形板状の平板である。
【００７４】
平板部３５は、プリズム面３５ａと、出射面３５ｂとを有する。
【００７５】
プリズム面３５ａは、平板部３５のＺ軸プラス方向側の面である。プリズム面３５ａは、Ｘ−Ｙ平面と略平行である。プリズム面３５ａは、平板部３５が導光する光を出射面３５ｂ側に向けて反射するように形成された面である。具体的には、プリズム面３５ａには、Ｚ軸マイナス方向に凹むプリズムが複数形成されている。プリズムは、例えば、円錐状、角錐状、円錐台状、角錐台状、半球状等に凹んだ形状であってもよい。なお、プリズム面３５ａは、光を反射するだけでなく、例えば天井等を照明する光を出射してもよい。また、プリズム面３５ａは、切削や、印刷などによって形成することが可能である。
【００７６】
出射面３５ｂは、平板部３５のＺ軸マイナス方向側の面であり、プリズム面３５ａと反対側の面である。出射面３５ｂは、Ｘ−Ｙ平面と略平行な平面である。出射面３５ｂは、例えば床、壁等を照明する光を出射する。
【００７７】
第二導光板４は、複数の第一光源１２１のＸ軸マイナス方向側に配置されている。第二導光板４は、Ｘ軸マイナス方向側の一端部が外装カバー１２内で固定され、Ｘ−Ｙ平面と略平行となるように支持されている。第二導光板４は、Ｙ軸方向に長尺な板状であり、第一光源１２１のＸ軸マイナス方向側に配列された第二光源１２２からの光を導光する光学部材である。第二導光板４は、導光板の一例である。
【００７８】
なお、第二導光板４については、装置本体２の中心を通過するＹ−Ｚ平面に対して第一導光板３と対称な構成である。つまり、第一導光板３及び第二導光板４は、装置本体２における互いに対向する長尺な一対の縁辺のそれぞれから外方に向けて延設している。このため、第二導光板４における第一導光板３と同等の部分については同じ符号を用いて他の説明を省略する。
【００７９】
図１に示すように、第一導光板３と第二導光板４とは、照明装置１を平面視した場合に音響部４０と重なっていない。このため、第一導光板３と第二導光板４とのそれぞれから出射された光は、音響部４０に遮られることがない。また、音響部４０から出力された音も、第一導光板３と第二導光板４とによって遮られることがない。
【００８０】
［支持部材］
図２及び図３に示すように、支持部材８は、Ｙ軸方向に沿って長尺な板材であり、第一導光板３の平板部３５を照明部２０に支持する部材である。支持部材８は、平板部３５の出射面３５ｂ側に配置される。支持部材８と、第二収容部２５２の桁部２５５の貫通孔とに対して図示しないネジを挿入して締結すると、支持部材８と桁部２５５とが第一導光板３の平板部３５を挟持する。これにより支持部材８が第一導光板３を下方から支持するので、当該第一導光板３の姿勢が保持されることとなる。
【００８１】
［遮光部材］
第一遮光部材５は、複数の第一光源１２１が出射する光が第一導光板３に入射しないように、第一導光板３の湾曲部３１と複数の第一光源１２１との間に配置されている。第一遮光部材５は、第一導光板３及びレンズカバー２３に沿って、Ｙ軸方向に長尺である。第一遮光部材５は、第一導光板３における湾曲部３１から出射する光を遮光する。また、第一遮光部材５は、光を反射する光反射機能を有する。第一遮光部材５は、例えばポリブチレンテレフタレート等の非透光性の白色樹脂等で形成されている。また、第一遮光部材５は、アクリルやポリカーボネート等の樹脂材料に白色の樹脂を塗装して形成してもよい。なお、第一遮光部材５は、光拡散機能を有していてもよい。
【００８２】
なお、もう一方の第二遮光部材６については、装置本体２の中心を通過するＹ−Ｚ平面に対し第一遮光部材５と対称な構成であるため、第一遮光部材５と同等の部分については同じ符号を用いて他の説明を省略する。
【００８３】
［透光カバー］
図２及び図３に示すように、透光カバー７は、装置本体２のＺ軸マイナス方向側に配置されている。透光カバー７は、照明装置１をＺ軸方向から見た場合において複数の第一光源１２１を覆うカバー部材であり、複数の第一光源１２１から出射した光が透過する透光性を有する。透光カバー７は、Ｙ軸方向に長尺な矩形状である。透光カバー７は、例えばアクリルやポリカーボネート等の透光性樹脂又はガラス等の透光性を有する材料で構成されている。透光カバー７は、さらに、光拡散性を有していてもよい。つまり、透光カバー７は、透明カバーではなく、透光性及び光拡散性を有する拡散カバーであってもよい。この場合、透光カバー７は、光拡散材が内部に分散された乳白色の拡散パネルとすることができる。このような拡散カバーは、光拡散材を混合した透光性樹脂材料を所定形状に樹脂成型することによって作製することができる。光拡散材としては、シリカ粒子等の光反射性微粒子を用いることができる。
【００８４】
透光カバー７は、第一透光カバー７０と、第二透光カバー８０とを有する。
【００８５】
第一透光カバー７０は、照明装置１をＺ軸方向から見た場合における外側のカバー部材である。第一透光カバー７０は、Ｙ軸方向に長尺な矩形板状である。第一透光カバー７０は、図示しない複数の係止片を有しており、この複数の係止片が第二透光カバー８０を係止することで、第二透光カバー８０を保持している。
【００８６】
第二透光カバー８０は、第一透光カバー７０と装置本体２との間に配置される。第二透光カバー８０は、カバー枠部８１と、カバー枠部８１の内側から、湾曲部３１に沿うように傾斜した傾斜部８３とを有する。
【００８７】
カバー枠部８１は、Ｙ軸方向に長尺な矩形板状の枠体であり、第一透光カバー７０の複数の係止片と係合している。傾斜部８３は、カバー枠部８１の内縁側に形成され、カバー枠部８１に沿ってＹ軸方向に長尺である。傾斜部８３は、Ｚ−Ｘ平面で切断した断面を見た場合に、第一遮光部材５及び第二遮光部材６に沿うように、円弧状に湾曲している。
【００８８】
［重心位置］
照明装置１の重心位置について説明する。図５に示すように、第一開口部２０ａを平面視した場合、つまりＺ軸方向視した場合に、照明装置１の全体的な重心は第一開口部２０ａ内に配置されている。具体的には、照明装置１をなす各構成部材の重量バランスを調整することで、照明装置１の全体的な重心を第一開口部２０ａ内に収めている。ここで、少なくとも一対のスピーカ４１を合わせた重心は、第一開口部２０ａを平面視した場合に、第一開口部２０ａ内に配置されているものとする。例えば、一対のスピーカ４１のそれぞれの重量を同等とするとともに、第一開口部２０ａから一対のスピーカ４１までのそれぞれの間隔も同等とすればよい。
【００８９】
また、第一回路基板２６０と第二回路基板２７０とを合わせた重心においても、第一開口部２０ａを平面視した場合に第一開口部２０ａ内に配置されている。ここで、照明部２０用の第一回路基板を単体にしてしまうと、音響部４０用の第二回路基板２７０よりも大型で重量も大きくなりやすい。このため、本実施の形態では、第一回路基板２６０を、主基板２６０ａと、主基板２６０ａよりも大きさの小さい副基板２６０ｂとに分割している。そして、装置本体２における第一開口部２０ａを基準とした長手方向の一側方（Ｙ軸プラス方向側）には主基板２６０ａが配置されており、他側方（Ｙ軸マイナス方向側）には副基板２６０ｂ及び第二回路基板２７０が配置されている。このように、第一回路基板２６０を分割することにより、第一回路基板２６０と第二回路基板２７０とを合わせた重心を第一開口部２０ａ内に容易に収めることが可能である。主基板２６０ａに実装される複数の回路部品９１と、副基板２６０ｂに実装される複数の回路部品９１とは、第一回路基板２６０と第二回路基板２７０とを合わせた重心が第一開口部２０ａ内に収まるように、その種類やレイアウトが決定されればよい。
【００９０】
［動作］
照明装置１は、操作端末から送信された照明部２０用の無線信号及び音響部４０用の無線信号に基づいて、ユーザが所望する照明及び音出力を実行する。受信時においては、照明部２０用の無線信号及び音響部４０用の無線信号が干渉するおそれもある。しかし、上述したように、第一無線モジュール４６と第二無線モジュール４７とは、第一収容部２５１内で極力距離を離して配置されているので、照明部２０用の無線信号と音響部４０用の無線信号とを同時に受信する場合、互いの無線信号が干渉しにくくなっている。
【００９１】
次に、照明装置１における照明時の動作について説明する。
【００９２】
照明制御部１３は、第一無線モジュール４６で受信された照明部２０用の無線信号に基づいて第一光源１２１及び第二光源１２２を制御する。複数の第一光源１２１から出射した光は、レンズカバー２３のレンズで配光制御されて透光カバー７を透光し、照明装置１のＺ軸方向に進む。また、Ｙ軸プラス方向側及びＹ軸マイナス方向側の複数の第二光源１２２から出射した光は、第一導光板３及び第二導光板４の各々の入射面に入射して湾曲部３１及び平板部３５を導光する。湾曲部３１では、当該湾曲部３１の外面で反射されたり、外面から出射しても第一遮光部材５及び第二遮光部材６で反射された光が入射したりする。平板部３５を導光する一部の光は、プリズム面３５ａで反射されて出射面３５ｂに向かい、出射面３５ｂから出射する。こうして、この照明装置１では、透光カバー７、第一導光板３及び第二導光板４の各々から照明光を出射することで、周囲を照明することができる。
【００９３】
次に、照明装置１における音出力時の動作について説明する。
【００９４】
音響制御部１６は、第二無線モジュール４７で受信された音響部４０用の無線信号に基づいてスピーカ４１を制御する。一対のスピーカ４１からは、音データに基づく音が出力される。音の出力時においては、一対のスピーカ４１からは当該音を起因とした振動が発生する。この振動は、照明部２０にも伝わる。例えば、一対のスピーカ４１からの振動が照明部２０に対して偏って伝わる場合には照明部２０も大きく振動して、照明光も大きく揺らめくことになる。しかし、本実施の形態では、一対のスピーカ４１の重心が、第一開口部２０ａを平面視した場合に第一開口部２０ａ内に配置されているために、一対のスピーカ４１のそれぞれからは照明部２０に対して概ね均等に振動が伝わることになる。これにより、照明部２０は比較的揺れにくくなって、揺らめきの小さい照明光とすることができる。特に、本実施の形態では、照明装置１全体の重心が、第一開口部２０ａを平面視した場合に第一開口部２０ａ内に配置されているので、照明装置１全体がバランスよく造営材に設置されており、揺れにくい支持構造となっている。このため、スピーカ４１からの音を起因とした振動が照明部２０により影響しにくくなっている。
【００９５】
［作用効果］
次に、本実施の形態における照明装置１の作用効果について説明する。
【００９６】
上述したように、本実施の形態に係る照明装置１は、少なくとも一つのスピーカ４１を有する音響部４０と、照明部２０とが装置本体２に対して一体的に設けられた照明装置１であって、装置本体２は、第一開口部２０ａ（開口部）を有しており、少なくとも一つのスピーカ４１の重心は、第一開口部２０ａを平面視した場合に開口部内に配置されている。
【００９７】
ここで、照明装置１は、第一開口部２０ａを介して造営材に支持されているが、この第一開口部２０ａ内に、少なくとも一つのスピーカ４１の全体的な重心が配置されているので、少なくとも一つのスピーカ４１からは照明部２０に対して概ね均等に振動が伝わることになる。これにより、照明部２０は比較的揺れにくくなって、揺らめきの小さい照明光とすることができる。したがって、スピーカ４１からの音を起因とした振動が照明部２０に影響することを抑制できる。
【００９８】
また、装置本体２は、長尺であって、第一開口部２０ａを中央部に備えており、スピーカ４１は、一対設けられており、一対のスピーカ４１は、装置本体２における長手方向の両端部に設けられている。
【００９９】
これによれば、一対のスピーカ４１が、装置本体２における長手方向の両端部に設けられているので、一対のスピーカ４１を合わせた重心を、容易に第一開口部２０ａ内に配置することができる。
【０１００】
また、装置本体２は、照明部用の第一回路基板２６０と、音響部４０用の第二回路基板２７０とを収容しており、第一回路基板２６０と第二回路基板２７０とを合わせた重心は、第一開口部２０ａを平面視した場合に第一開口部２０ａ内に配置されている。
【０１０１】
これによれば、第一回路基板２６０と第二回路基板２７０とを合わせた重心が、第一開口部２０ａを平面視した場合に第一開口部２０ａ内に配置されているので、照明装置１をよりバランスよく造営材に設置することができる。これにより、照明装置１をより揺れにくくすることができ、スピーカ４１からの音を起因とした振動が照明部２０に影響することを抑制できる。
【０１０２】
また、第一回路基板２６０は、主基板２６０ａと、主基板２６０ａよりも大きさの小さい副基板２６０ｂとを備えており、装置本体２における第一開口部２０ａを基準とした長手方向の一側方には主基板２６０ａが配置されており、他側方には副基板２６０ｂ及び第二回路基板２７０が配置されている。
【０１０３】
これによれば、第一回路基板２６０が主基板２６０ａと副基板２６０ｂとを備えているので、第一回路基板２６０と第二回路基板２７０とを合わせた重心を第一開口部２０ａ内に容易に収めることができる。
【０１０４】
また、装置本体２は、照明部２０と音響部４０とを収容する外装カバー１２を備え、スピーカ４１と外装カバー１２との間には、緩衝材４３が設けられている。
【０１０５】
これによれば、スピーカ４１と外装カバー１２との間には、緩衝材４３が設けられているので、スピーカ４１が音を出力することによって発生した振動は、緩衝材４３によって吸収される。このため、スピーカ４１を起因とした振動が、外装カバー１２と、外装カバー１２に収容された照明部２０などに伝わることが抑制されている。したがって、スピーカ４１からの音を起因とした振動が照明部２０に影響することを一層抑制することができる。
【０１０６】
また、照明装置１は、外装カバー１２から外方に向けて延設するように、外装カバー１２に取り付けられた導光板（第一導光板３及び第二導光板４）と、導光板に対して光を入射する光源（第二光源１２２）とを備えている。
【０１０７】
これによれば、導光板を備えた照明装置１であっても、スピーカ４１からの音を起因とした振動が照明部２０及び導光板に影響することを抑制できる。
【０１０８】
また、導光板は、互いに対向するように一対設けられている。
【０１０９】
これによれば、互いに対向する一対の導光板を備えた照明装置１であっても、スピーカ４１からの音を起因とした振動が照明部２０及び一対の導光板に影響することを抑制できる。
【０１１０】
また、照明装置１の重心は、第一開口部２０ａを平面視した場合に第一開口部２０ａ内に配置されている。
【０１１１】
これによれば、照明装置１の重心が、第一開口部２０ａを平面視した場合に第一開口部２０ａ内に配置されているので、照明装置１全体がバランスよく造営材に設置されて、揺れにくい支持構造となっている。このため、スピーカ４１からの音を起因とした振動が照明部２０により影響しにくくなっている。
【０１１２】
なお、照明装置１の全体の重心が、第一開口部２０ａを平面視した場合に第一開口部２０ａ内に配置されているのであれば、一対のスピーカ４１の重心が第一開口部２０ａ内に配置されていなくてもよいし、第一回路基板２６０と第二回路基板２７０とを合わせた重心が第一開口部２０ａ内に配置されていなくてもよい。
【０１１３】
（その他の変形例等）
以上、本発明について、実施の形態に基づいて説明したが、本発明は、上記実施の形態に限定されるものではない。以降の説明において、上記実施の形態と同一の部分においては、同一の符号を付してその説明を省略する場合がある。
【０１１４】
例えば、上記実施の形態では、照明部２０用の第一回路基板２６０が２つの基板（主基板２６０ａ及び副基板２６０ｂ）に分割されている場合を例示した。しかしながら、照明部２０用の第一回路基板は、一枚の基板であっても３枚以上の基板であってもよい。
【０１１５】
また、上記実施の形態では、音響部４０用の第二回路基板２７０が一つの基板である場合を例示したが、音響部４０用の第二回路基板は２枚以上の基板から構成されていてもよい。
【０１１６】
また、上記実施の形態では、一対の導光板（第一導光板３及び第二導光板４）を備えた照明装置１を例示して説明したが、導光板の設置個数は、１つであっても３つ以上であってもよい。また、導光板は、装置本体を囲むように配置された環状体であってもよい。また、導光板を備えていない照明装置であってもよい。
【０１１７】
また、上記実施の形態では、取付用の第一開口部２０ａが装置本体２の中央部に設けられている場合を例示した。しかしながら、装置本体の中央部以外に第一開口部が設けられていてもよい。なお、上述したように、取付用の第一開口部２０ａが装置本体２の中央部に設けられていると、重量バランスを均等化しやすいので好適である。
【０１１８】
また、上記実施の形態では、第一無線モジュール４６と第二無線モジュール４７とが、第一収容部２５１の壁部２５４内に配置されている場合を例示した。しかし、第一無線モジュールと第二無線モジュールとは、発光領域を挟んで配置されているのであれば、照明装置のいずれの場所に配置されていてもよい。例えば、第一無線モジュールと第二無線モジュールとのそれぞれは、音響部４０の一対のカバー体４２のそれぞれの内方に配置されていてもよい。
【０１１９】
また、上記実施の形態では、一対のスピーカ４１が装置本体２における長手方向の両端部に設けられている場合を例示した。しかしながら、一対のスピーカの全体的な重心の位置が装置本体の第一開口部内に配置されているのであれば、一対のスピーカの設置箇所は如何様でもよい。例えば、一対のスピーカは、収容体内に配置されていてもよい。
【０１２０】
また、スピーカは、一つの照明装置に対して、１つでも３つ以上でも設けられていてもよい。この場合、少なくとも一つのスピーカの全体的な重心が、装置本体の第一開口部内に配置されていればよい。例えば、１つのスピーカとしては、装置本体を囲む環状のスピーカが挙げられる。この場合においても、環状の１つのスピーカの重心が装置本体の第一開口部内に配置されていればよい。また、スピーカが複数ある場合には、複数のスピーカの複合的な重心が、装置本体の第一開口部内に配置されていればよい。
【０１２１】
また、上記実施の形態では、第一導光板３及び第二導光板４を備えた照明装置１を例示したが、導光板を有さない照明装置であってもよい。
【０１２２】
また、上記実施の形態では、平面視十字形状の照明装置１を例示したが、照明装置１の平面視形状は如何様でもよい。その他の照明装置の平面視形状としては、円形状、矩形状、矩形状以外の多角形状、楕円状などが挙げられる。
【０１２３】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１２４】
１  照明装置
２  装置本体
３  第一導光板（導光板）
４  第二導光板（導光板）
１２  外装カバー
２０  照明部
２０ａ  第一開口部（開口部）
４０  音響部
４１  スピーカ
４３  緩衝材
１２２  第二光源（光源）
２６０  第一回路基板
２６０ａ  主基板
２６０ｂ  副基板
２７０  第二回路基板
【図１】
2019102290.tif 000003
【図２】
2019102290.tif 000004
【図３】
2019102290.tif 000005
【図４】
2019102290.tif 000006
【図５】
2019102290.tif 000007
【図６】
2019102290.tif 000008
【図７】
2019102290.tif 000009
【図８】
2019102290.tif 000010